(57)【要約】【課題】構造が簡単であり、安価であって、具体的使用に簡便な商品前出し陳列具を提供する。【解決手段】上部が開放された平面から見て略長方形の容器の正面側に輪ゴムを掛け止め、該容器の底面上に１列で載置した複数の商品のうちで最も後方の商品に該輪ゴムを引っ掛けて、該輪ゴムの復元力により商品を順次前方の正面側へ前出しするようにした。【選択図】　　　　　図１
0003097744.tif 000002
【実用新案登録請求の範囲】
【請求項１】
少なくとも正面、左右長手側面及び底面を有し且つ上部が開放された平面から見て略長方形の容器と、該容器の正面又は左右長手側面の正面側に掛け止めされた輪ゴムとを備え、該容器の底面上に１列で載置された複数の商品のうちで最も後方の商品に該輪ゴムを引っ掛けることにより、該輪ゴムの復元力で商品を順次前方の正面側へ前出しするようにして成る商品前出し陳列具。
【請求項２】
容器がプラスチック製のものである請求項１記載の商品前出し陳列具。
【請求項３】
容器が無色透明のポリエステル製のものである請求項１記載の商品前出し陳列具。
【請求項４】
少なくとも正面、左右長手側面及び底面を有し且つ上部が開放された平面から見て略長方形の組立式容器と、該組立式容器の底面内側に載置され且つ一端部が正面内側及び正面外側に沿い底面外側へと渡されて掛け止めされた敷板と、該組立式容器の正面と該敷板との間に掛け止めされた輪ゴムとを備え、該組立式容器の底面内側の該敷板上に１列で載置された複数の商品のうちで最も後方の商品に該輪ゴムを引っ掛けることにより、該輪ゴムの復元力で商品を順次前方の正面側へ前出しするようにして成る商品前出し陳列具。
【請求項５】
組立式容器及び敷板がプラスチック製のものである請求項４記載の商品前出し陳列具。
【請求項６】
組立式容器及び敷板が無色透明のポリエステル製のものである請求項４記載の商品前出し陳列具。
【考案の詳細な説明】
【０００１】
【考案の属する技術分野】
本考案は商品前出し陳列具に関する。商品の小売店では、開放の陳列棚や冷蔵庫内の陳列棚等に、紙容器詰め、プラスチック容器詰め、瓶詰め、缶詰め等の多種多様の商品が、通常は各商品毎で前方から後方へと１列になって陳列されている。商品の購入者は一般に、棚上に陳列された商品のうちで前方に陳列された商品から取り出すので、商品を取り出した後の棚上には前方に空間が残る。このような場合に通常は、小売店の従業員等が手作業によって棚上に残っている商品を前方へ前出ししている。かかる手作業は商品が多種多様であることもあって誠に厄介である。本考案は、前記のような商品の前出しを自動的に且つ簡便に行なうことができる商品前出し陳列具に関する。
【０００２】
【従来の技術】
従来、前記のような商品前出し陳列具として、バネの復元力でレール上の押さえ板を摺動させることにより商品を前出しするようにしたもの（例えば特許文献１参照）、傾斜面に設けたレールの滑りやローラの転がりを利用して商品を自重で前出しするようにしたもの（例えば特許文献２及び３参照）、バネの復元力とローラの転がりを利用して商品を前出しするようにしたもの（例えば特許文献４参照）等が知られている。しかし、これら従来の商品前出し陳列具には、構造が複雑であり、相応に高価であるという問題がある。
【０００３】
【特許文献１】
特開平８−１０３３４８号公報
【特許文献２】
特開平９−１００７９号公報
【特許文献３】
特開２０００−２８７７９５号公報
【特許文献４】
特開平７−２６０号公報
【０００４】
【考案が解決しようとする課題】
本考案が解決しようとする課題は、構造が簡単であり、安価であって、具体的使用に簡便な商品前出し陳列具を提供する処にある。
【０００５】
【課題を解決するための手段】
前記の課題を解決する請求項１に記載の本考案は、少なくとも正面、左右長手側面及び底面を有し且つ上部が開放された平面から見て略長方形の容器と、該容器の正面又は左右長手側面の正面側に掛け止めされた輪ゴムとを備え、該容器の底面上に１列で載置された複数の商品のうちで最も後方の商品に該輪ゴムを引っ掛けることにより、該輪ゴムの復元力で商品を順次前方の正面側へ前出しするようにして成る商品前出し陳列具に係る。
【０００６】
また請求項４に記載の本考案は、少なくとも正面、左右長手側面及び底面を有し且つ上部が開放された平面から見て略長方形の組立式容器と、該組立式容器の底面内側に載置され且つ一端部が正面内側及び正面外側に沿い底面外側へと渡されて掛け止めされた敷板と、該組立式容器の正面と該敷板との間に掛け止めされた輪ゴムとを備え、該組立式容器の底面内側の該敷板上に１列で載置された複数の商品のうちで最も後方の商品に該輪ゴムを引っ掛けることにより、該輪ゴムの復元力で商品を順次前方の正面側へ前出しするようにして成る商品前出し陳列具に係る。
【０００７】
請求項１に記載の本考案に係る商品前出し陳列具は、平面から見て略長方形の容器と、該容器に掛け止めされた輪ゴムとを備えている。容器は、少なくとも正面、左右長手側面及び底面を有しており、上部が開放されていて、好ましくは更に背面を有している。かかる容器は、全体を一体成形したもの、各面を溶着や接着等で貼り合わせて作製したもの、１枚又は２枚以上の打ち抜き片や切り抜き片等から組立たもの等、いずれでもよい。輪ゴムは容器の正面又は左右長手側面の正面側に掛け止めされている。例えば、容器の正面上部に鉤部を形成し、該鉤部に輪ゴムを掛け止めるのである。
【０００８】
前記のような容器と輪ゴムとを備える商品前出し陳列具は、容器の底面上に前方の正面側から後方へと１列で載置した複数の商品のうちで最も後方の商品に輪ゴムを引っ掛けることにより、該輪ゴムの復元力で商品を順次前方の正面側へ前出しするようになっている。棚上に容器を載置し、該容器の底面上に前方の正面側から後方へと１列で複数の商品を載置して、該容器の正面又は左右長手側面の正面側に掛け止めした輪ゴムを最も後方の商品に引っ掛けておけば、購入者が前方の正面側の商品を取り出したときに、残りの商品が該輪ゴムの復元力で前方の正面側へ前出しされる。
【０００９】
容器は、金属製、木製、紙製、プラスチック製等、いずれのものでもよいが、相応に軽量で耐用性に富み、商品を前出しするときの滑りのよいプラスチック製のものが好ましく、なかでも外部から商品を見易い無色透明のプラスチック製のものがより好ましく、ポリエステル製、例えばポリエチレンテレフタレート（ＰＥＴ）製のものが特に好ましい。
【００１０】
請求項４に記載の本考案に係る商品前出し陳列具は、平面から見て略長方形の組立式容器と、敷板と、輪ゴムとを備えている。組立式容器は、少なくとも正面、左右長手側面及び底面を有しており、上部が開放されていて、好ましくは更に背面を有している。かかる組立式容器は、１枚の打ち抜き片や切り抜き片等をそこに形成されている折り曲げ線に沿って折り曲げ、折り曲げた片の端部を適宜に掛け止めや接着等で係止することにより組立られている。組立方式それ自体は任意であり、これには公知の各種方式が適用できる。敷板は、組立式容器の底面内側に載置されており、且つその一端部が該組立式容器の正面内側及び正面外側に沿い底面外側へと渡されて掛け止めされている。かかる敷板も、１枚の打ち抜き片や切り抜き片等をそこに形成されている折り曲げ線に沿って折り曲げるようになっている。輪ゴムは前記のような組立式容器の正面と敷板との間に掛け止めされている。
【００１１】
前記のような組立式容器と敷板と輪ゴムとを備える商品前出し陳列具は、組立式容器の底面内側の敷板上に前方の正面側から後方へと１列で載置した複数の商品のうちで最も後方の商品に輪ゴムを引っ掛けることにより、該輪ゴムの復元力で商品を順次前方の正面側へ前出しするようになっている。棚上に敷板を載置して掛け止めした組立式容器を載置し、該組立式容器の底面内側の敷板上に前方の正面側から後方へと１列で複数の商品を載置して、該組立式容器の正面と該正面に沿う敷板との間に掛け止めした輪ゴムを最も後方の商品に引っ掛けておけば、購入者が前方の正面側の商品を取り出したときに、残りの商品が該輪ゴムの復元力で前方の正面側へ前出しされる。
【００１２】
組立式容器及び敷板は共に、紙製のものでも、またプラスチック製のものでもよいが、相応に軽量で耐用性に富み、商品を前出しするときの滑りのよいプラスチック製のものが好ましく、なかでも外部から商品を見易い無色透明のプラスチック製のものがより好ましく、ポリエステル製、例えばポリエチレンテレフタレート（ＰＥＴ）製のものが特に好ましい。以上説明したような組立式容器及び敷板を用いる商品前出し陳列具は、組立前においてはそれらが１枚の打ち抜き片や切り抜き片等であるため、その保管や運搬に便利である。
【００１３】
【考案の実施の形態】
図１は本考案に係る商品前出し陳列具を例示する右側面図、図２は図１と同じ商品前出し陳列具を示す正面図、図３は図１と同じ商品前出し陳列具を示す平面図である。図１〜図３に示した商品前出し陳列具は、平面から見て略長方形の容器１１と、容器１１に掛け止めされた輪ゴム２１とを備えている。容器１１は、正面１２、背面１３、左右長手側面１４，１５及び底面１６を有しており、上部が開放されていて、一体成形された無色透明のポリエチレンテレフタレート製のものから成っている。容器１１の正面１２の上部両側には凹状の鉤部１６，１７が形成されており、輪ゴム２１は鉤部１６，１７に掛け止めされている。
【００１４】
図示しない棚上に容器１１を載置し、容器１１の底面１６上に前方の正面１２側から後方の背面１３側へと１列で商品３１〜３５を載置して、容器１１の正面１２の鉤部１６，１７に掛け止めした輪ゴム２１を最も背面１３側の商品３５に引っ掛けておけば、購入者が前方の正面１２側の商品３１を取り出したときに、残りの商品３２〜３５が輪ゴム２１の復元力で前方の正面１２側へ前出しされる。
【００１５】
図４は本考案に係る他の商品前出し陳列具を例示する斜視図、図５は図４と同じ商品前出し陳列具を示す底面図、図６は図４と同じ商品前出し陳列具における組立式容器の組立前の状態である切り抜き片を示す縮小図、図７は図４と同じ商品前出し陳列具における敷板の組立前の状態である切り抜き片を示す縮小図である。図４及び図５に示した商品前出し陳列具は、平面から見て略長方形の組立式容器４１と、敷板５１と、輪ゴム６１とを備えている。組立式容器４１は、正面４２、背面４３、左右長手側面４４，４５及び底面４６を有しており、上部が開放されていて、詳しくは後述するような１枚の切り抜き片から組立られた無色透明のポリエチレンテレフタレート製のものから成っている。
【００１６】
図６の切り抜き片４１ａは、折り曲げ片４２ａ〜４５ａ，４６ａ〜４６ｄ，４７ａを有しており、これらの折り曲げ片は折り曲げ線７１〜７８を介して一体となっている。説明の便宜上、図４及び図５と同じ記号にアルファベットを付しているが、切り抜き片４１ａは組立式容器４１に、折り曲げ片４２ａは正面４２に、折り曲げ片４３ａは背面４３に、折り曲げ片４４ａ，４５ａは左右長手側面４４，４５に、折り曲げ片４６ａ〜４６ｄは底面４６にそれぞれ相当している。図４及び図５に示した組立式容器４１は、図６に示した１枚の切り抜き片４１ａの前記した折り曲げ片を折り曲げ線に沿って折り曲げつつそれらの端部を掛け止めし、最後に折り曲げ片４７ａを図示しない両面テープで折り曲げ片４５ａ（右長手側面４５）に接着することにより組立てられている。
【００１７】
敷板５１は、組立式容器４１の底面４６の内側に載置されており、且つその一端部が組立式容器４１の正面４２の内側及び外側に沿い底面４６の外側へと渡されて掛け止めされている。かかる敷板５１も、１枚の切り抜き片から形成された無色透明のポリエチレンテレフタレート製のものから成っている。図７の切り抜き片５１ａは、折り曲げ片５２ａ〜５５ａを有しており、これらの折り曲げ片は折り曲げ線８１〜８３を介して一体となっている。切り抜き片５１ａのうちで、折り曲げ片５２ａは底面４６に載置される部分に、折り曲げ片５３ａは正面４２の内側に沿う部分に、折り曲げ片５４ａは正面４２の外側に沿う部分に、折り曲げ片５５ａは底面４６に沿ってその端部が掛け止めされる部分にそれぞれ相当している。図４及び図５に示した敷板５１は、図７に示した１枚の切り抜き片５１ａの前記した折り曲げ片を折り曲げ線に折り曲げつつその端部を底面４６に掛け止めすることにより形成されている。
【００１８】
輪ゴム６１は、組立式容器４１の正面４２の外側と敷板５１との間、より具体的には前記した切り抜き片５１ａのうちで正面４２の外側に沿う部分に相当する折り曲げ片５４ａとの間に掛け止めされている。
【００１９】
商品の図示を省略するが、図示しない棚上に図４及び図５に示した商品前出し陳列具を載置し、組立式容器４１の底面４６に載置した敷板５１上に前方の正面４２側から後方の背面４３側へと１列で商品を載置して、輪ゴム６１を最も背面４３側の商品に引っ掛けておけば、購入者が前方の正面４２側の商品を取り出したときに、残りの商品が輪ゴム６１の復元力で前方の正面４２側へ前出しされる。
【００２０】
【考案の効果】
既に明らかなように、以上説明した本考案には、構造が簡単であり、安価であって、具体的使用に簡便という効果がある。
【図面の簡単な説明】
【図１】本考案に係る商品前出し陳列具を例示する右側面図。
【図２】図１と同じ商品前出し陳列具を示す正面図。
【図３】図１と同じ商品前出し陳列具を示す平面図。
【図４】本考案に係る他の商品前出し陳列具を例示する斜視図。
【図５】図４と同じ商品前出し陳列具を示す底面図。
【図６】図４と同じ商品前出し陳列具における組立式容器の組立前の状態である切り抜き片を示す縮小図。
【図７】図４と同じ商品前出し陳列具における敷板の組立前の状態である切り抜き片を示す縮小図。
【符号の説明】
１１・・容器、１２，４２・・正面、１３，４３・・背面、１４，４４・・左長手側面、１５，４５・・右長手側面、１６，４６・・底面、２１，６１・・輪ゴム、３１〜３５・・商品、４１・・組立式容器、５１・・敷板
【図１】
0003097744.tif 000003
【図２】
0003097744.tif 000004
【図３】
0003097744.tif 000005
【図４】
0003097744.tif 000006
【図５】
0003097744.tif 000007
【図６】
0003097744.tif 000008
【図７】
0003097744.tif 000009